(57)【要約】【課題】迅速、且つ効率的に編集用の動画を作成、記録できる記録装置の提供。【解決手段】動画記録装置は、動画データを用いて第１の動画データと当該第１の動画データより画素数の少なくした第２の動画データを生成し、第１の動画データを外部装置に出力する場合に、第１の動画データの出力と並列に第２の動画データを生成し、生成された第２の動画データの動画ファイルを記録媒体に記録し、第２の動画データの動画ファイルを記録媒体に記録中に当該動画ファイルの記録に関する記録情報を記録手段から取得して評価し、当該評価の結果に従って第２の動画データの動画ファイルの記録を制御して当該動画ファイルをクローズするときは、第１の動画データの動画ファイルをクローズするための指示を外部装置に出力する。【選択図】図３
2013162486.tif 000002
【特許請求の範囲】
【請求項１】
動画データを取得する取得手段と、
前記取得手段により取得された動画データを用いて第１の動画データと当該第１の動画データよりも画素数の少ない第２の動画データとを生成する生成手段と、
動画データを外部装置に出力する出力手段と、
前記生成手段により生成された動画データを含む動画ファイルを記録媒体に記録する記録手段と、
前記出力手段により前記第１の動画データを出力する場合に前記生成手段を制御して前記第１の動画データの出力と並列に前記第２の動画データを生成し、前記記録手段による当該生成された第２の動画データの動画ファイルの前記記録媒体への記録を制御する制御手段とを備え、
前記制御手段は、前記第２の動画データの動画ファイルを前記記録媒体に記録中に当該動画ファイルの記録に関する記録情報を前記記録手段から取得して評価し、当該評価の結果に従って前記第２の動画データの動画ファイルの前記記録媒体への記録を制御して当該動画ファイルをクローズするときは、前記出力手段を制御して、前記第１の動画データの動画ファイルをクローズするための指示を前記外部装置に出力することを特徴とする記録装置。
【請求項２】
前記記録情報は前記記録媒体の記録容量の残量を示す情報を含み、前記制御手段は前記記録容量の残量が予め設定された閾値より少なくなったときに、前記記録媒体に記録中の前記第２の動画データの動画ファイルをクローズすることを特徴とする請求項１に記載の記録装置。
【請求項３】
前記記録情報は前記記録媒体に記録中の前記第２の動画データの動画ファイルのサイズを示す情報をさらに含み、前記制御手段は、前記記録容量の残量が予め設定された閾値より多いときに前記動画ファイルのサイズが予め設定されたサイズを超えている場合に、前記記録媒体に記録中の前記第２の動画データの動画ファイルをクローズすることを特徴とする請求項２に記載の記録装置。
【請求項４】
前記記録手段は複数の記録媒体に動画データを記録し、前記制御手段は前記記録手段を制御して、前記複数の記録媒体のうち、記録容量の残量が多い記録媒体に前記第２の動画データの動画ファイルを記録し、当該記録媒体の記録容量の残量の評価に応じて前記第２の動画データの動画ファイルをクローズするときは、前記第２の動画データを記録する新たな動画ファイルを生成して他の記録媒体に記録することを特徴とする請求項１乃至３のいずれか一項に記載の記録装置。
【請求項５】
前記制御手段は、前記記録媒体に記録中の前記第２の動画データの動画ファイルのサイズが予め設定されたサイズを超えているときに当該動画ファイルをクローズする場合は、当該記録中の記録媒体に前記第２の動画データを記録する新たな動画ファイルを生成することを特徴とする請求項３または４に記載の記録装置。
【請求項６】
前記出力手段は、前記第１の動画データの動画ファイルをクローズするための指示を、前記外部装置に出力される前記第１の動画データに多重することを特徴とする請求項１乃至５のいずれか一項に記載の記録装置。
【請求項７】
前記出力手段は前記第１の動画データを複数の外部装置に出力し、前記制御手段は、前記記録媒体に記録中の前記第２の動画データの動画ファイルを前記記録情報の評価の結果に従ってクローズするときは、前記出力手段を制御して、当該第１の動画データの記録をしている外部装置に記録停止の指示を出力し、他の外部装置に当該第１の動画データの記録を開始するための記録開始の指示を出力することを特徴とする請求項１乃至６のいずれか一項に記載の記録装置。
【請求項８】
前記制御手段は、前記記録媒体に記録中の前記第２の動画データの動画ファイルを前記記録容量の残量の評価の結果に従ってクローズするときは、前記出力手段を制御して、当該第１の動画データの記録をしている外部装置に記録停止の指示を出力し、他の外部装置に当該第１の動画データの記録を開始するための記録開始の指示を出力し、前記記録媒体に記録中の前記第２の動画データの動画ファイルを当該動画ファイルのサイズの評価の結果に従ってクローズするときは、前記第１の動画データの記録をしている外部装置に当該第１の動画データの動画ファイルの分割位置の指示を出力することを特徴とする請求項７に記載の記録装置。
【請求項９】
動画データを記録するための記録装置において、
外部装置から出力された動画データおよび当該動画データの記録に関する複数の指示を受信する通信手段と、
前記通信手段で受信された動画データの動画ファイルを記録媒体に記録する記録手段と、
前記通信手段で受信された前記指示に従って前記記録手段を制御する制御手段とを備え、前記制御手段は、前記動画データの動画ファイルを前記記録媒体に記録中に当該動画ファイルの記録に関する記録情報を前記記録手段から取得して評価し、当該評価の結果に従って、前記複数の指示のうちの前記評価の結果に対応する指示の要求を前記通信手段を介して前記外部装置に送信することを特徴とする記録装置。
【請求項１０】
前記記録情報は前記記録媒体の記録容量の残量を示す情報であり、前記制御手段は前記記録容量の残量が予め設定されたて所定の閾値より少なくなったときに、前記通信手段を介して前記評価の結果に対応する指示の要求を前記外部装置に送信することを特徴とする請求項９に記載の記録装置。
【請求項１１】
前記記録手段は複数の記録媒体を有し、前記制御手段は前記記録手段を制御して、前記複数の記録媒体のうちのいずれか一つに前記動画データの動画ファイルを記録し、前記複数の記録媒体うちの他の記録媒体の記録容量の残量が前記所定の閾値より多いときは、前記記録中の動画ファイルをクローズするための指示の要求を前記通信手段により前記外部装置に送信し、前記他の記録媒体の記録容量の残量が前記所定の閾値より少ないいときは、前記動画データの記録を停止するための指示を前記通信手段を介して前記外部装置に送信することを特徴とする請求項１０に記載の記録装置。
【請求項１２】
前記通信手段で受信する各指示は、指示コマンドと当該コマンドの実行の対象となる動画データのフレームの情報を含むことを特徴とする請求項９乃至１１のいずれか一項に記載の記録装置。
【請求項１３】
動画データを記録するための記録システムにおいて、
請求項１乃至８のいずれか一項に記載の第１の記録装置と、
請求項９乃至１２のいずれか一項に記載の第２の記録装置を
備え、前記第２の記録装置は前記通信手段を介して前記第１の記録装置から出力された動画データおよび指示を受信することを特徴とする記録システム。
【請求項１４】
請求項９乃至１２のいずれか一項に記載の第３の記録装置を備え、
前記第３の記録装置は前記通信手段を介して前記第１の記録装置から出力された動画データおよび指示を受信することを特徴とする請求項１３に記載の記録システム。
【請求項１５】
前記第１の記録装置は、前記第１の動画データを第２および第３の記録装置に出力し、前記第１の記録装置は、当該第１の記録装置の前記記録媒体に記録中の前記第２の動画データの動画ファイルをクローズするときは、前記出力手段を制御して、前記第２および第３の記録装置のうち当該第１の動画データの記録をしている記録装置に記録停止の指示を出力し、他の記録装置に当該第１の動画データの記録を開始するための記録開始の指示を出力することを特徴とする請求項１４に記載の記録システム。
【請求項１６】
動画データを取得する取得ステップと、
前記取得された動画データを用いて第１の動画データと前記第１の動画データよりも画素数の少ない第２の動画データを生成する生成ステップと、
動画データを出力手段により外部装置に出力する出力ステップと、
前記生成ステップで生成された動画データを含む動画ファイルを記録手段により記録媒体に記録する記録ステップと、
前記出力ステップで前記出力手段により前記第１の動画データを出力する場合に前記生成ステップを制御して前記第１の動画データの出力と並列に前記第２の動画データを生成し、前記記録ステップにおける前記記録手段による当該生成された第２の動画データの動画ファイルの前記記録媒体への記録を制御する制御ステップとを備え、
前記制御ステップは、前記第２の動画データの動画ファイルを前記記録媒体に記録中に当該動画ファイルの記録に関する記録情報を前記記録手段から取得して評価し、当該評価の結果に従って前記第２の動画データの動画ファイルの前記記録媒体への記録を制御して当該動画ファイルをクローズするときは、前記出力ステップを制御して、前記第１の動画データの動画ファイルをクローズするための指示を前記出力手段により前記外部装置に出力することを特徴とする動画データの記録方法。
【請求項１７】
外部装置から出力された動画データおよび当該動画データの記録に関する複数の指示を通信手段により受信する通信ステップと、
前記通信ステップで受信された動画データを、記録手段により動画ファイルとして記録媒体に記録する記録ステップと、
前記通信ステップで受信された前記指示に従って前記記録ステップを制御する制御ステップを備え、前記制御ステップは、前記記録手段が前記動画データの動画ファイルを前記記録媒体に記録中に当該動画ファイルの記録に関する記録情報を前記記録手段から取得して評価し、当該評価の結果に従って、前記複数の指示のうちの前記評価の結果に対応する指示の要求を前記通信手段により前記外部装置に送信することを特徴とする動画データの記録方法。
【請求項１８】
請求項１６のプログラムを記録したコンピュータが読み取り可能な記憶媒体。
【請求項１９】
コンピュータを、請求項１乃至８のいずれか一項に記載された記録装置の各手段として機能させるプログラム。
【請求項２０】
コンピュータを、請求項１乃至８のいずれか一項に記載された記録装置の各手段として機能させるプログラムを格納した記憶媒体。
【請求項２１】
請求項１７のプログラムを記録したコンピュータが読み取り可能な記憶媒体。
【請求項２２】
コンピュータを、請求項９乃至１５のいずれか一項に記載された記録装置の各手段として機能させるプログラム。
【請求項２３】
コンピュータを、請求項９乃至１５のいずれか一項に記載された記録装置の各手段として機能させるプログラムを格納した記憶媒体。
【発明の詳細な説明】
【技術分野】
【０００１】
本発明は動画データの記録装置、特に動画データおよびその編集用の動画データを記録する記録装置、記録方法および記録システムに関する。
【背景技術】
【０００２】
従来、動画像の分割、結合等の編集を行う場合、編集対象の動画よりも画面サイズが小さい編集用の動画を用意し、この編集用の動画を用いて編集点を決めた後、この編集点に基づいて編集対象の動画を編集することが行われている（例えば、特許文献１参照）。編集用の動画はプロキシとも呼ばれる。
【先行技術文献】
【特許文献】
【０００３】
【特許文献１】特開２００３−６１０４１号公報
【発明の概要】
【発明が解決しようとする課題】
【０００４】
プロキシを作成する場合、編集対象の元の動画を一旦復号し、画面サイズを縮小するなどの処理を施した後に、再度圧縮、符号化の処理を行う。そのため、プロキシを作成するために大変な時間がかかってしまう。
【０００５】
更に、複数の記録媒体に同時に動画を記録しておき、各記録媒体を別々の編集システムで編集することも考えられるが、この場合も、やはり、それぞれの編集システムにおいてプロキシを作成する必要があり、大変な時間と手間がかかっていた。
【０００６】
本発明はこの様な問題を解決し、迅速、且つ効率的に編集用の動画を作成、記録できるようにすることを目的とする。
【課題を解決するための手段】
【０００７】
本発明によれば、動画データの記録装置は、動画データを用いて第１の動画データと当該第１の動画データよりも画素数を少なくした第２の動画データを生成し、第１の動画データを外部装置に出力する場合に、第１の動画データの出力と並列に第２の動画データを生成し、生成された第２の動画データの動画ファイルを記録媒体に記録し、第２の動画データの動画ファイルを記録媒体に記録中に当該動画ファイルの記録に関する記録情報を記録手段から取得して評価し、当該評価の結果に従って第２の動画データの動画ファイルの記録を制御して当該動画ファイルをクローズするときは、第１の動画データの動画ファイルをクローズするための指示を外部装置に出力する。
【発明の効果】
【０００８】
本発明によれば、迅速、且つ効率的に編集用の動画を作成、記録が可能となる。
【図面の簡単な説明】
【０００９】
【図１】本発明の第１の実施形態に係わる記録装置を撮像装置に適用した場合の当該撮像装置の構成を示すブロック図である。
【図２】図１の記録装置と記録システムを構成する外部の記録装置の構成を示すブロック図である。
【図３】本発明の第１の実施例に係わる記録装置の動作のフローチャートを示す図である。
【図４】ＳＤＩフォーマットのビットレートを示す図である。
【図５】本発明の第１の実施形態に係わる記録装置が処理する動画データの画素配列を示す図である。
【図６】本発明に係わる記録システムにおける記録装置と外部記録装置の接続構成を示す図である。
【図７】本発明の第１の実施形態に係わる記録装置から出力される動画データとＳＤＩフォーマット及び出力チャンネル数との関係を示す図である。
【図８】本発明の第１の実施形態に係わる記録装置から出力される動画データの構成を示す図である。
【図９】本発明の第２の実施形態としての記録装置の動作のフローチャートを示す図である。
【図１０】本発明の第３の実施形態に係わる記録装置と外部記録装置の構成を示すブロック図である。
【図１１】本発明の第３の実施形態に係わる記録装置の動作のフローチャートを示す図である。
【図１２】本発明の第３の実施形態に係わる記録装置の動作のフローチャートを示す図である。
【図１３】本発明の第４の実施形態における記録装置の動作のフローチャートを示すである。
【発明を実施するための形態】
【００１０】
以下、本発明の実施形態について図面を参照して説明する。
本実施形態は、撮像された動画像データを外部記録装置に記録するときの記録システムに本発明を適用したときの実施形態であり、当該記録システムは図６に示すような構成をとることが可能である。
【００１１】
（第１の実施形態）
図１は、本実施形態に係る記録装置１００の装置構成例を示すブロック図である。本記録装置は、撮像部やカメラ信号処理部からの動画データだけでなく、外部から動画データを入力して記録することが可能であり、更に、入力する動画の画素数やフレームレートも適宜設定可能に構成されている。
図１において、撮像部１０１は不図示のレンズ、絞り、シャッタ等の光学系やＣＣＤ、ＣＭＯＳ等の撮像素子を有し、これらにより被写体を撮影して動画データを出力する。入力部１０１は、動画データや音声データを取得して出力する。本実施形態では、撮像部１０１の撮像素子は、１画面が横４０９６画素×縦２１６０画素で、毎秒６０フレームの動画を出力することができる。カメラ信号処理部１０２は、撮像部１０１からの動画データに対して必要な処理を施す。メモリ１０３は、動画データやその他のデータを記憶する。記録装置１００の各ブロックは、メモリ１０３に対してアクセスすることにより、必要な処理を行う。また、メモリ１０３は、動画データの他に、ファイルシステムの情報やユーザ設定などの管理情報など、各種の情報を記憶し、更に、制御部１１２による制御のためのワークメモリ等の役割を果たす。また、メモリ１０３は、データの記録時や再生時におけるバッファメモリの役割を果たす。
【００１２】
動画処理部１０４は、入力された動画データの画素数を変換する。また、動画処理部１０４は、記録時においては、記録すべき動画データをＭＰＥＧ等の公知の符号化方法により符号化して情報量を圧縮する。また、動画処理部１０４は、後述の様に、外部の記録装置に対して動画データを出力する場合、ユーザにより設定された出力形態に応じて動画データを変換する。また、動画処理部１０４は、再生時においては、再生された動画データを復号する。
【００１３】
記録媒体制御部１０５は、書き込み読み出し部１０６、１０７に対して、データの書き込み指示および読み出し指示を出力する。また、記録媒体制御部１０５は、書き込み読み出し部１０６、１０７に対し、記録すべきデータを出力し、また、書き込み読み出し部１０６、１０７より再生されたデータを受け取る。また、記録媒体制御部１０５は、書き込み読み出し部１０６、１０７より、記録媒体１０８、１０９が装着されているか否かの検出結果や、各記録媒体の記録容量の残量（記録残量）および記録中の動画データのファイルサイズの情報などの記録情報を管理する。
【００１４】
書き込み読み出し部１０６、１０７は、記録媒体１０８、１０９に対し、動画データや各種の情報を書き込み、また、読み出すとともに、記録媒体を管理する。例えば、記録媒体の装着の検出、装着された記録媒体の記録残量、記録しているデータのファイルサイズなどの情報を取得する。これらの情報は、動画データの記録制御のために、制御部１１２によって記録動作中に評価される。書き込み読み出し部１０６、１０７は、記録時においては、動画データを記録媒体１０８や１０９に記録する。また、書き込み読み出し部１０６、１０７は、再生時においては、記録媒体１０８や記録媒体１０９から動画データを読み出し、記録媒体制御部１０５に送る。本実施形態では、記録媒体１０８、１０９は互いに独立した、別の記録媒体として構成され、ハードディスク（ＨＤＤ）、フラッシュメモリカード等、ランダムアクセスの記録媒体である。
【００１５】
また、記録媒体制御部１０５は、記録媒体１０８、１０９に記録する動画データや、各種の情報を、ＦＡＴ（File Allocation Table）等のファイルシステムに従い、ファイルとして管理する。また、記録媒体制御部１０５は、ＡＴＡ（AT Attachment）等の公知のインターフェイス（ＩＦ）を有し、制御部１１２における記録媒体ＩＦとの間でデータや各種のコマンドを通信する。また、不図示の装着、排出機構により、記録装置１００は記録媒体１０８、１０９を容易に装着、排出することができる構成とするが、記録装置１００に各記録媒体１０８、１０９或いは何れか一方が内蔵される構成でもよい。表示制御部１１０は、表示部１１１に画像やその他の情報、例えばユーザ設定情報、記録媒体に関する情報、記録中のデータに関する情報などを表示する。表示部１１１は、液晶表示装置や有機ＥＬ装置等を含む。
【００１６】
制御部１１２は、操作部１１３からの入力に応じて記録装置１００の動作全体を制御する。制御部１１２はマイクロコンピュータ（ＣＰＵ）やメモリ等を含み、不図示のメモリに記憶されたプログラム（ソフトウェア）に従って記録装置１００を制御する。また、制御部１１２は、記録媒体制御部１０５との間でデータやコマンドを通信するための記録媒体インターフェイスを内蔵している。操作部１１３は、ユーザにより操作可能な各種のスイッチを含み、ユーザによる各種の指示などを受理して制御部１１２へ通知する。また、操作部１１３は、電源スイッチや記録の開始、停止を指示するためのスイッチ、記録装置１００の記録モードなどの動作モードを切り替えるためのスイッチ等を含む。
【００１７】
制御部１１２は、記録媒体１０８、１０９に対して動画ファイルの書き込み、読み出しを行う場合、記録媒体制御部１０５を制御して、記録媒体１０８、１０９から、ファイルシステムデータ（管理データ）を読み出してメモリ１０５に記憶する。このファイルシステムデータは、記録媒体１０８、１０９に記録されたデータのファイル名やファイルのサイズ、データの記録アドレスなどを示すデータであり、ファイルを管理するための管理情報である。そして、制御部１１２は、読み出したファイルシステムデータに従ってファイルの書き込み、読み出しを制御する。制御部１１２は、記録媒体１０８、１０９へのファイルの書き込みに応じて、メモリ１０５に記憶されたファイルシステムデータを更新する。そして、更新したファイルシステムデータを、記録媒体制御部１０５により記録媒体１０８、１０９に記録する。
【００１８】
出力制御部１１４は、出力部１１５−１１８を複数の出力系統（チャンネル）として用いることにより、外部の記録装置に動画データを出力する。出力制御部１１４は、動画データを所定のフォーマットに適した形式に変換し、出力部１１５−１１８に出力する。本実施形態では、出力部１１５−１１８は、ＳＭＰＴＥ（the Society of Motion Picture and Television Engineers）で規定されているＳＤＩ（Serial Digital Interface）規格に準拠したフォーマットで動画データを出力する。そのため、出力制御部１１４は、ＳＤＩフォーマットに適した形式の動画データに変換して出力する。出力部１１５−１１８はそれぞれ、出力制御部１１４より受け取った動画データを出力する。出力部１１５−１１８は、ＢＮＣ（Bayonet Neill Concelman）コネクタなどの接続部を有する。データバス１１９は各部の間でデータを受け渡すための伝送路である。
【００１９】
次に、記録装置１００における通常モードの記録処理について説明する。本実施形態では、記録する動画データの１フレームの画素数として、横４０９６画素×縦２１６０画素、横１９２０画素×縦１０８０画素、横７２０画素×縦４８０画素の三種類の何れかをユーザが選択することができる。本実施形態では、１フレームの画素数が横４０９６画素×縦２１６０画素の動画を４Ｋと呼び、横１９２０画素×縦１０８０画素の動画をＨＤと呼び、横７２０画素×縦４８０画素の動画をＳＤと呼ぶ。また、記録する動画データのフレームレート（単位時間あたりのフレーム数）として、５９．９４フレーム／秒（ｆｐｓ）、５０ｆｐｓ、２９．９７ｆｐｓ、２５ｆｐｓ、２４ｆｐｓ、２３．９８ｆｐｓの何れかをユーザが設定可能とする。ユーザは、操作部１１３を操作することにより、記録する動画の画素数とフレームレートを選択する。なお、動画データの画素数やフレームレートをこれら以外の値とすることも可能である。
【００２０】
制御部１１２は、操作部１１３により電源が投入されると各部を制御し、撮像部１０１により撮影された動画を表示部１１１に表示して記録装置１００を記録待機状態とする。記録待機状態において、操作部１１３より記録開始の指示があった場合、制御部１１２は、撮像部１０１及びカメラ信号処理部１０２に対して、指定されたフレームレートの動画データを出力する様に指示する。カメラ信号処理部１０２は、指定されたフレームレートの４Ｋの動画データを出力し、メモリ１０３に記憶する。動画処理部１０４は、メモリ１０３に記憶された４Ｋの動画データ（第１の動画データ）を読み出し、動画データの画素数をユーザにより指定された画素数に変換する。そして、動画処理部１０４は、変換した動画データ(第２の動画データ)を符号化し、メモリ１０３に記憶する。
【００２１】
制御部１１２は、記録媒体制御部１０５に対し、動画の記録を開始するように指示する。記録媒体制御部１０５は、メモリ１０３より動画データを読み出し、記録媒体１０８、１０９のうちの一方に記録するために、書き込み読み出し部１０６、１０７の何れかに出力する。本実施形態では、ユーザは操作部１１３を操作することにより、記録媒体１０８、１０９のうちの一方を選択し、選択した方の記録媒体に動画データが記録される。また、記録媒体１０８、１０９の一方だけが装着されている場合、制御部１１２は、ユーザによる設定にかかわらず、装着されている方の記録媒体に動画データを記録するように記録媒体制御部１０５に指示する。
【００２２】
記録媒体制御部１０５は、制御部１１２からの指示に従い、メモリ１０３より読み出した動画データを書き込み読み出し部１０６、１０７の何れかに出力し、書き込みを指示する。書き込み読み出し部１０６、１０７は、受け取った動画データを記録媒体１０８、１０９に記録する。記録を開始した後、操作部１１３より記録停止の指示があった場合、制御部１１２は記録媒体制御部１０５に対して記録停止を指示し、記録媒体１０８、１０９に対する動画データの記録を停止する。また、制御部１１２は、動画処理部１０４に対し、画素数の変換、及び符号化処理を停止するように指示する。
【００２３】
次に、リレー記録について説明する。本実施形態では、一方の記録媒体への動画データの記録中に記録残量が無くなった場合に、ユーザが記録媒体の変更を指示しなくても、他方の記録媒体に継続して動画データを記録する機能を持つ。この機能をリレー記録機能という。
【００２４】
本実施形態では、記録媒体１０８、１０９がともに装着されている場合、ユーザは、操作部１１３を操作することにより、リレー記録を行うか否かを設定することができる。制御部１１２は、ユーザの指示に応じて、リレー記録を行うよう記録装置１００を制御する。リレー記録が設定されている場合、制御部１１２は、前述のように動画の記録を開始した後、記録媒体制御部１０５より、動画データを記録している記録媒体の記録残量の情報を受け取る。そして、記録残量が所定の閾値よりも少なくなった場合、制御部１１２は、記録媒体制御部１０５に対し、現在記録中の記録媒体への記録を停止し、他方の記録媒体への記録を開始するように指示する。例えば、記録媒体１０８に動画データを記録中の場合、記録媒体制御部１０５は、制御部１１２からの指示により書き込み読み出し部１０６に記録停止を指示するとともに、書き込み読み出し部１０７に記録開始を指示する。書き込み読み出し部１０６は、記録停止の指示に応じて記録媒体１０８への動画データの記録を停止し、書き込み読み出し部１０７は、記録開始の指示に応じて記録媒体１０９への動画データの記録を開始する。その後、操作部１１３より記録停止の指示があった場合、制御部１１２は記録媒体制御部１０５に記録停止を指示し、記録媒体１０９への動画データの記録を停止する。
【００２５】
次に、外部記録モードについて説明する。本実施形態に係わる記録装置では、外部出力モードにおいて、撮影された動画データを四つの出力部１１５−１１８の少なくとも一つ、或いは複数を用いて外部の記録装置に出力する。そして、ユーザによる記録開始および停止の指示に応じて、外部の記録装置に対して記録の開始および停止を指示することにより、出力された動画データが外部の記録装置で記録される。ユーザは操作部１１３を操作することにより、外部出力モードを設定することができる。また、外部出力モードを設定した場合も、ユーザは上述のように出力する動画データの画素数とフレームレートを設定することができる。
【００２６】
出力部１１５−１１８は、ＳＤＩ規格に従って動画データを出力する。図４は、ＳＭＰＴＥやＩＴＵ−Ｒ（International Telecommunication Union Radio communications Sector）で規定されているＳＤＩの種類と最大伝送ビットート及び使用するケーブルの数との関係を表している。ＳＤ−ＳＤＩは伝送ビットレートが２７０メガビット／秒（Ｍｂｐｓ）、ＨＤ−ＳＤＩは伝送ビットレートが１．４８５ギガビット／秒（Ｇｂｐｓ）、ＤｕａｌＬｉｎｋＳＤＩと３ＧＳＤＩは伝送ビットレートが２．９７０Ｇｂｐｓである。
【００２７】
図５は、外部出力モードにおいて出力する４Ｋの動画データの画素配列を示している。本実施形態では、４Ｋの動画データの画素配列を、撮像装置において従来から用いられているベイヤー配列としている。ベイヤー配列では、Ｒ（赤）とＧｒ（緑）を交互に配列したラインと、Ｇｂ（緑）とＢ（青）を交互に配列したラインの二つのラインを垂直方向に交互に配列している。そして、各画素を１０ビットのデータとして出力する。そのため、１フレームあたりのデータ量は、４０９６×２１６０画素×１０ビット＝８８．４７メガビットとなる。
【００２８】
出力する４Ｋの動画データのフレームレートが５９．９４ｆｐｓの場合、出力される動画データのビットレートは、８８．４７Ｍビット×５９．９４＝５．３０３Ｇｂｐｓ（＞２．９７０Ｇｂｐｓ）となる。そのため、３ＧＳＤＩでこの動画データを出力する場合、２チャンネルに分割して出力する必要がある。また、ＤｕａｌＬｉｎｋＳＤＩでこの動画データを出力する場合、４チャンネルに分割して出力する必要がある。
【００２９】
また、出力する４Ｋの動画データのフレームレートが２９．９７ｆｐｓの場合、出力される動画データのビットレートは、８８．４７Ｍビット×２９．９７＝２．６５１Ｇｂｐｓとなる。そのため、３ＧＳＤＩでこの動画データを出力する場合は１チャンネルにより出力することができる。また、ＤｕａｌＬｉｎｋＳＤＩでこの動画データを出力する場合、２チャンネルに分割して出力する必要がある。
【００３０】
本実施形態では、４Ｋの動画データを２チャンネルに分割して出力する場合、動画データを１フレーム毎に交互に各チャンネルに割り当てて出力する。そのため、各チャンネルで出力される動画データは、それぞれ、元の動画データのフレーム数を半分に減らした動画として出力される。そして、このように２つのチャンネルに分割されて出力された動画データを、例えば図２の外部の記録装置で受け取り、一つの動画データとして記録することができる。４Ｋ、５９．９４ｆｐｓの動画を２チャンネル（ＣＨ１、ＣＨ２）に分割して、記録装置１００から外部の記録装置２００に出力する記録システム構成を図６（ａ）に示す。
【００３１】
また、４Ｋの動画データを４チャンネルに分割して出力する場合、動画データを１フレーム毎に各チャンネルに対して順番に割り当てて出力する。そのため、各チャンネルで出力される動画データは、それぞれ、元の動画データのフレーム数を１／４に減らした動画データとして出力される。そして、このように４チャンネルに分割されて出力された動画データを外部の記録装置が受け取り、一つの動画データとして記録することができる。
【００３２】
出力する動画データと、各動画データを出力するために用いるチャンネルの数の関係を図７に示す。前述のように、ユーザは操作部１１３を操作することにより、出力する動画データの画素数とフレームレートを設定することができる。また、ユーザは、操作部１１３を操作することにより、出力系統（チャンネルＣＨ）毎に、出力する動画データの種類（画素数、及びフレームレート）と、動画データを出力するために用いるＳＤＩの種類を設定することができる。また、ユーザは、操作部１１３を操作することにより、チャンネル毎に、動画データを出力するか否かを設定することができる。図１の出力部１１５−１１８は、チャンネル１−４に対応する。３ＧＳＤＩで４Ｋ、５９．９４ｆｐｓの動画を出力するためにはＳＤＩのチャンネルの数は二つ必要である。そのため、例えば、本実施形態では、ユーザがＣＨ１を３ＧＳＤＩに設定し、出力する動画データを４Ｋ、５９．９４ｆｐｓに設定した場合、ＣＨ２も自動的に３ＧＳＤＩに設定され、出力する動画データが４Ｋ、５９．９４ｆｐｓに設定される。
【００３３】
また、本実施形態では、外部出力モードにおいて、動画データを外部出力している際、同時に編集用の動画データ（プロキシデータ）を生成し、記録媒体１０８、１０９に記録することができる。４Ｋの動画データを外部に出力している場合、動画データの出力と並列に、出力中の動画データに対応したＨＤ、或いはＳＤの動画データを生成し、記録媒体１０８、１０９に記録する。本実施形態では、編集用の動画データとして、ＨＤの動画データを記録する。編集用の動画データとして、ＳＤまたはＨＤのどちらを記録するかをユーザが選択できるようにしてもよい。なお、本実施形態では、外部出力モードにおいて、４Ｋの動画データをＭＰＥＧにより符号化せずに出力する。
【００３４】
図３は、外部出力モードに関連した記録装置１００の動作のフローチャートを示す図である。図３の動作は、制御部１１２が記録装置１００の各部を制御することにより実行される。
【００３５】
例えば、図６（ｂ）に示すように、記録装置１００と外部記録装置２００とを、ＳＤＩフォーマットに応じたケーブルで接続し、ユーザにより外部出力モードに設定された場合、制御部１１２は、動画データを出力部１１５−１１８より出力する（Ｓ３０１）。この状態で、制御部１１２は、操作部１１３より記録開始の指示があったか否か判別する（Ｓ３０２）。記録開始の指示があった場合、制御部１１２は、出力部１１５−１１８から出力されている動画データに対し、記録開始を指示するコマンドデータを多重するように出力制御部１１４に指示する（Ｓ３０３）。出力制御部１１４は、出力されている動画データに記録開始のコマンドデータを多重して各出力部１１５−１１８に出力する。
【００３６】
図８は本実施形態において出力部１１５−１１８から出力される動画データの構成を示す図である。本実施形態では、ＳＤＩ規格に従って動画データを出力する。図８は、１フレームの動画データを示している。１フレームの動画データは、水平ラインの終了を示すＥＡＶ、補助データであるＨアンシラリ（ancillary）、水平ラインの開始を示すＳＡＶ、補助データであるＶアンシラリ、有効画像領域から構成される。本実施形態では、Ｖアンシラリにおける所定の水平ラインに記録開始、停止のコマンドデータ、及び後述するファイル分割指示のコマンドデータを多重して出力する。また、ユーザおよび制御部１１２が設定した動画データの出力状態の情報も同様に多重することが可能である。
【００３７】
ユーザは操作部１１３を操作することにより、外部出力モードにおいて、外部の記録装置への動画出力と並列に編集用の動画データを生成して記録するか否かを設定することができる。制御部１１２は、編集用動画データを記録する設定となっているか否かを判別する（Ｓ３０４）。ユーザにより、編集用動画データを記録しないように設定されていた場合、制御部１１２は編集用の動画データを生成しない。そして、制御部１１２は、操作部１１３より記録停止の指示があったか否か判別する（Ｓ３０５）。記録停止の指示が無い場合、そのまま動画データを出力する。また、記録停止の指示があった場合、制御部１１２は各出力部１１５−１１８から出力されている動画データに対し、記録停止を指示するコマンドデータを多重するように出力制御部１１４に指示する（Ｓ３０６）。出力制御部１１４は、出力されている動画データに記録停止のコマンドデータを多重して出力部１１５−１１８に出力する。
【００３８】
また、編集用の動画データを記録する設定となっていた場合、制御部１１２は、記録媒体制御部１０５より、記録媒体１０８、１０９が装着されているか否かの検出結果と各記録媒体の記録残量の情報を取得する。そして、これらの情報に基づいて、各記録媒体に対して編集用動画データを記録可能か否か判別する（Ｓ３０７）。何れの記録媒体も装着されていない場合、或いは何れの記録媒体の記録残量も無い場合、制御部１１２は編集用動画データを記録できないと判断し、編集用動画データを生成しない。この場合、制御部１１２が編集用動画データを記録する設定となっているが、編集用動画データを記録できないことを表示部１１１に表示するようにしてもよい。そして、制御部１１２は操作部１１３より記録停止の指示があったか否か判別する（Ｓ３０５）。記録停止の指示が無い場合、そのまま動画データを出力する。また、記録停止の指示があった場合、制御部１１２は出力部１１５−１１８から出力されている動画データに対し、記録停止を指示するコマンドデータを多重するように出力制御部１１４に指示する（Ｓ３０６）。出力制御部１１４は、出力されている動画データに記録停止のコマンドデータを多重して出力部１１５−１１８に出力する。
【００３９】
また、少なくとも一方の記録媒体に編集用動画データを記録可能であった場合、制御部１１２は動画処理部１０４を制御して編集用動画データを生成する。そして、制御部１１２は、記録媒体制御部１０５に対し、編集用動画データを記録するように指示する（Ｓ３０８）。二つの記録媒体１０８、１０９がともに動画データを記録可能な場合、制御部１１２は記録残量が多い方の記録媒体を選択し、この選択した記録媒体に編集用動画データを記録するように記録媒体制御部１０５に指示する。記録媒体制御部１０５は、制御部１１２より指定された記録媒体に編集用動画データを記録するための動画ファイルを生成し、この動画ファイルに動画データを格納して記録するように書き込み読み出し部１０６、１０７に指示する。
【００４０】
編集用動画データの記録を開始した後、制御部１１２は記録停止の指示があったか否か判別する（Ｓ３０９）。記録停止の指示があった場合、制御部１１２は、出力部１１５−１１８から出力されている動画データに記録停止を指示するコマンドデータを多重するように出力制御部１１４に指示する（Ｓ３１０）。出力制御部１１４は、出力されている動画データに記録停止のコマンドデータを多重して出力部１１５−１１８に出力する。また、制御部１１２は、動画処理部１０４による編集用動画データの生成を停止して、記録を停止する（Ｓ３１１）。
【００４１】
また、記録停止の指示がない場合、制御部１１２は記録媒体制御部１０５からの記録残量の情報に基づいて、編集用動画データを記録している記録媒体の記録残量が所定の閾値よりも少なくなったか否かを判別する（Ｓ３１２）。本実施形態では、記録残量が閾値よりも少なくなった場合に、記録媒体の残量が無くなったものと判断する。記録媒体の記録残量が閾値よりも少なくなった場合、制御部１１２は出力部１１５−１１８から出力されている動画データに、ファイル分割を指示するコマンドデータを多重するように出力制御部１１４に指示する（Ｓ３１３）。外部の記録装置２００では、ファイル分割のコマンドを受信した場合、後述のように、記録中の動画ファイルをクローズして新たに動画ファイルを生成して記録を継続する。また、制御部１１２は、現在選択している記録媒体以外の他の記録媒体に動画データが記録可能か否かを判別する（Ｓ３１４）。例えば、記録媒体１０８を選択して編集用動画データを記録している場合、制御部１１２は記録媒体１０９に動画データを記録可能か否かを判別する。
【００４２】
他の記録媒体に動画データを記録可能でない場合、制御部１１２は、これ以降編集用動画データの生成、記録を停止する（Ｓ３１５）。
そして、制御部１１２は、操作部１１３より記録停止の指示があったか否かを判別する（Ｓ３１６）。記録停止の指示が無い場合、そのまま動画データを出力する。また、記録停止の指示があった場合、制御部１１２は出力部１１５−１１８から出力されている動画データに、記録停止を指示するコマンドデータを多重するように出力制御部１１４に指示する（Ｓ３１７）。出力制御部１１４は、出力されている動画データに記録停止のコマンドデータを多重して出力部１１５−１１８に出力する。
【００４３】
また、他の記録媒体に編集用動画データを記録可能であった場合、制御部１１２は、記録媒体制御部１０５に対し、他の記録媒体に新たに動画ファイルを生成して編集用動画データを記録するように指示する（Ｓ３１８）。記録媒体制御部１０５は、制御部１１２より指定された記録媒体に対し、編集用動画データを記録するために動画ファイルを生成し、この動画ファイルに編集用動画データを格納して記録するように書き込み読み出し部１０６、１０７に指示する。次に、制御部１１２は、現在記録中の編集用動画データの記録を停止するように記録媒体制御部１０５に指示する。記録媒体制御部１０５は、制御部１１２より指定された記録媒体に対して記録中の編集用動画データの記録を停止、動画ファイルをクローズするように書き込み読み出し部１０６、１０７に指示する（Ｓ３１９）。
【００４４】
また、記録媒体の記録残量が閾値以下でない場合、制御部１１２は、記録媒体制御部１０５から取得した、記録済みの編集用動画ファイルのサイズの情報に基づいて、編集用動画ファイルのサイズが所定値に達したか否かを判別する（Ｓ３２０）。本実施形態では、前述のように、記録媒体１０８、１０９に記録した動画データを所定のファイルシステムに従って管理している。そのため、記録中の動画ファイルのサイズが、ファイルシステムにより規定されたファイルサイズの上限に達した場合に記録中の動画ファイルを一旦クローズし、新たに動画ファイルを生成して記録を続ける。そのため、本実施形態では、所定値として、ファイルシステムにより規定されたファイルサイズの上限よりも所定量少ない値を所定値として設定する。記録中の動画ファイルのサイズが所定値以下である場合は、そのまま記録が継続される。
【００４５】
記録中の動画ファイルのサイズが所定値を超えた場合、制御部１１２は、出力部１１５−１１８から出力されている動画データに対し、ファイル分割を指示するコマンドデータを多重するように出力制御部１１４に指示する（Ｓ３２１）。次に、制御部１１２は、現在記録中の編集用動画データの動画ファイルをクローズし（Ｓ３２２）、新たに動画ファイルを生成して編集用動画データの記録を継続するよう、記録媒体制御部１０５に指示する（Ｓ３２３）。記録媒体制御部１０５は、書き込み読み出し部１０６、１０７を制御して、現在記録中の動画ファイルをクローズし、新たに動画ファイルを生成して、動画データの記録を継続する。
【００４６】
次に、記録装置１００から出力された動画データを受け取って記録する外部の記録装置について説明する。図２は外部記録装置２００の構成を示すブロック図である。
【００４７】
図２において、入力部２０１−２０４は、それぞれＳＤＩフォーマットに従って記録装置１００から出力された動画データを入力する。入力制御部２０５は、制御部２１１により設定された各入力部のＳＤＩフォーマットや動画データの種類に基づいて、入力された動画データを入力してメモリ２０６に出力する。
【００４８】
メモリ２０６は、動画データやその他のデータを記憶する。記録装置２００の各ブロックは、メモリ２０６に対してアクセスすることにより必要な処理を行う。また、メモリ２０６は、動画データの他に、ファイルシステムの情報や、管理情報など、各種の情報を記憶し、更に制御部１１２による制御のためのワークメモリ等の役割を果たす。また、メモリ２０６は、データの記録時や再生時におけるバッファメモリの役割を果たす。
【００４９】
動画処理部２０７は、動画データの画素数を変換する。また、動画処理部２０７は、記録された動画データが符号化されている場合、再生された動画データを復号する。また、動画処理部２０７は、再生された動画データを出力する場合、ユーザにより設定された出力形態に応じて動画データを変換する。
【００５０】
記録媒体制御部２０８は、書き込み読み出し部２０９に対して、データの書き込み、読み出し指示を出力する。また、記録媒体制御部２０８は、書き込み読み出し部２０９に対し、記録すべきデータを出力し、また書き込み読み出し部２０９より再生されたデータを受け取る。また、記録媒体制御部２８は、書き込み読み出し部２０９より、記録媒体２１０の記録残量の情報などを受け取る。
【００５１】
書き込み読み出し部２０９は、記録媒体２１０に対し、動画データや各種の情報の書き込みおよび読み出しを行なう。書き込み読み出し部２０９は、記録時においては、動画データを記録媒体２１０に記録する。また、書き込み読み出し部２０９は、再生時においては、記録媒体２１０から動画データを読み出し、記録媒体制御部２０８に送る。本実施形態では、記録媒体２１０は、記録装置２００に内蔵されたハードディスク（ＨＤＤ）、フラッシュメモリカード等、ランダムアクセスの記録媒体である。記録媒体２１０は、不図示の装着、排出機構により、記録装置１００に対して記録媒体１０８、１０９を容易に装着、排出することができるように構成してもよい。
【００５２】
また、記録媒体制御部２０８は、記録媒体２１０に記録する動画データや各種の情報を、ＦＡＴ（File Allocation Table）等のファイルシステムに従いファイルとして管理する。また、記録媒体制御部１０５は、ＡＴＡ（AT Attachment）等の公知のインターフェイス（ＩＦ）を有し、制御部２１１における記録媒体ＩＦとの間でデータや各種のコマンドを通信する。また、本実施形態では、記録媒体制御部２０８は、ｅｘＦＡＴなどの実質的にファイルサイズの上限サイズが規定されていないファイルシステムに従って記録媒体２１０に記録されたファイルを管理する。そのため、記録装置１００から出力された４Ｋデータなどのデータレートが大きい動画データを一つのファイルに格納して管理することができる。
【００５３】
本実施形態では、記録開始から記録停止までの間に記録した動画データを一つのファイルとして管理している。また、入力部２０１−２０４から入力されている動画データを一つにまとめて記録するように設定している場合、一つにまとめられた動画データを一つの動画ファイルとして管理する。しかしながら、４Ｋデータの様にデータレートが大きな動画データを一つのファイルに格納した場合、ファイルのサイズが大きくなり、その取り扱いが不便になる場合がある。そこで、記録開始から記録停止までに入力された動画データを複数のファイルに分割して記録し、これら複数のファイルを一つのシーン、或いはクリップとして管理することも可能である。このように記録開始から記録停止までに入力された動画データを複数のファイルとして記録する場合、記録装置２００は記録装置１００からのファイル分割のコマンドに応じて、新たにシーン或いはクリップを生成する。そして、このように記録開始から記録停止或いはファイル分割指示までに入力された動画データを複数のファイルとして記録する場合、これら複数の動画ファイルを一つのフォルダに格納して管理する。つまり、一つのシーン或いはクリップの記録を開始する度に、一つのフォルダを生成する。
【００５４】
制御部２１１は、操作部２１２からの入力に応じて記録装置２００の動作全体を制御する。制御部２１１はマイクロコンピュータやメモリ等を含み、不図示のメモリに記憶されたプログラムに従って記録装置２００を制御する。また、制御部２１１は、記録媒体制御部２０８との間でデータやコマンドを通信するための記録媒体インターフェイスを内蔵している。操作部２１２は、ユーザにより操作可能な各種のスイッチを含む。そして、操作部２１２は、ユーザによる各種の指示などを受理して制御部２１１へ通知する。また、操作部２１２は、電源スイッチや記録の開始、停止を指示するためのスイッチ、記録装置２００のモードを切り替えるためのスイッチ等を含む。
【００５５】
制御部２１１は、記録媒体２１０に対して動画ファイルの書き込み、読み出しを行う場合、記録媒体制御部２０８を制御して、記録媒体２１０からファイルシステムデータ（管理データ）を読み出してメモリ２０６に記憶する。このファイルシステムデータは、記録媒体２１０に記録されたデータのファイル名やファイルのサイズ、データの記録アドレスなどを示すデータであり、ファイルを管理するための管理情報である。そして、制御部２１１は、読み出したファイルシステムデータに従ってファイルの書き込み、読み出しを制御する。制御部２１１は、記録媒体２１０へのファイルの書き込みに応じて、メモリ２０６に記憶されたファイルシステムデータを更新する。そして、更新したファイルシステムデータを記録媒体制御部２０８により記録媒体２１０に記録する。表示制御部２１３は、表示部２１４に画像やその他の情報を表示する。表示部２１４は、液晶表示装置や有機ＥＬ装置等を含む。出力部２１５は、入力された動画データや再生された動画データを外部に出力する。
【００５６】
次に、記録装置２００において、入力部２０１−２０４により入力された動画データを記録媒体に記録する際の処理を説明する。
【００５７】
ユーザは操作部１１３を操作することにより、各入力部２０１−２０４より入力される動画データの画素数やフレームレート、及び入力部２０１−２０４におけるＳＤＩフォーマットを設定することができる。ユーザは、記録装置１００の出力部１１５−１１８に設定した動画データの画素数やフレームレート、及びＳＤＩフォーマットに合わせて、各入力部２０１−２０４を設定することにより、記録装置１００から出力された動画データを入力して記録することができる。
【００５８】
ユーザは、記録装置２００の電源を投入後、記録装置１００の出力部１１５−１１８と入力部２０１−２０４とをＳＤＩフォーマットに従うケーブルで接続し、前記の通り各入力部２０１−２０４により入力される動画データやＳＤＩフォーマットを設定する。そして、記録装置１００が外部出力モードに設定されると、記録装置１００より各入力部２０１−２０４に動画データが入力される。
【００５９】
この記録待機状態において、ユーザが操作部２１２を操作して、記録開始を指示すると、制御部２１１は入力部２０１−２０４より入力されている動画データを記録媒体２１０に記録するように指示する。このときユーザは、入力部２０１−２０４から入力されている動画データのうち、記録すべき動画データを選択することができる。また、ユーザは、入力部２０１−２０４から入力されている動画データのうち、選択した動画データを一つにまとめて（一つのファイルとして）記録するように指示することができる。また、ユーザが操作部２１２を操作して記録停止を指示すると、記録媒体２１０への動画データの記録を停止する。
【００６０】
また、前述のように、入力制御部２０５は、記録装置１００から出力された動画データに多重されている記録開始、停止のコマンドデータを検出し、制御部２１１に送る。制御部２１１は、記録開始のコマンドデータに応じて、記録媒体２１０に動画ファイルを生成し、入力部２０１−２０４から入力されている動画データの記録を開始する。また、制御部２１１は、記録停止のコマンドデータに応じて、記録中の動画ファイルをクローズし、入力部２０１−２０４から入力されている動画データの記録を停止する。この場合、受信した動画データに記録装置における出力状態の情報が多重されていれば、それを検出して表示するなどして入力部の設定を行なうようにしてもよい。また、制御部２１１は、ファイル分割指示のコマンドデータに応じて記録中の動画ファイルをクローズし、新たに動画ファイルを生成して動画データの記録を継続する。
【００６１】
このように、本実施形態においては、外部出力モードにおいて動画データを外部の記録装置などに出力する場合、動画データの出力と並列に編集用動画データを生成して自己の記録媒体に記録する。そのため、後で編集用の動画データを生成する必要がなくなる。また、本実施形態では、編集用動画データの動画ファイルをクローズした場合に、外部の記録装置に対して動画ファイルの分割を指示する。そのため、記録媒体に記録した編集用動画データと外部の記録装置において記録されている動画データとを、同様のファイル構成で対応づけて記録することができる。本実施形態によれば、外部の記録装置２００により記録される動画ファイルに格納された動画データの記録時間（フレーム数）と、記録媒体１０８、１０９に記録される動画ファイルに格納される編集用動画データの記録時間とが一致する。そのため、編集用動画データを用いて編集点を指定することで、簡単に、対応する動画データの編集を行うことができる。
【００６２】
なお、本実施形態では、記録装置１００が二つの記録媒体に動画データを記録する構成であったが、三つ以上の記録媒体に動画データを記録可能な構成としてもよい。また、ＳＤＩフォーマット以外のフォーマットに従って動画データを出力することも可能である。また、外部に出力される動画データよりも画素数が少ない動画データを編集用動画データとして記録したが、外部に出力する動画データよりも情報量が少ない動画データを編集用動画データとすることも可能である。また、本実施形態では、四つの出力部を備え、これら４チャンネルの出力部を使って動画データを出力したが、チャンネルの数はこれに限られず、複数のチャンネルを用いることができる。
【００６３】
次に、本発明の第２の実施形態を説明する。本実施形態においても、記録装置１００及び外部の記録装置２００の構成は第１の実施形態と同様である。
【００６４】
図９は、本実施形態での外部出力モードに係わる記録装置１００の動作のフローチャートを示す図である。なお、図９の動作も制御部１１２が記録装置１００の各部を制御することにより実行される。
【００６５】
本実施形態では、図６（ｃ）のように記録装置１００（第１の記録装置）と２台の外部記録装置２００(第２の記録装置、第３の記録装置)とをＳＤＩフォーマットに従ったケーブルで接続し、２台の記録装置２００で動画データを記録するシステム構成とする。
【００６６】
図６（ｃ）のように記録装置１００と２台の外部記録装置２００とが接続され、ユーザにより外部出力モードに設定された場合、制御部１１２は動画データを出力部１１５−１１８より出力する（Ｓ９０１）。
【００６７】
この状態で、制御部１１２は操作部１１３より記録開始の指示があったか否かを判別する（Ｓ９０２）。本実施形態では、二つの記録装置２００のうち、ユーザが一方の記録装置を選択し、選択した方の記録装置に対して動画データの記録が指示される。記録開始の指示があった場合、制御部１１２は、出力部１１５−１１８から出力されている動画データのうち、選択された記録装置２００に出力されている動画データに記録開始を指示するコマンドデータを多重するように出力制御部１１４に指示する（Ｓ９０３）。出力制御部１１４は、選択された一方の記録装置２００に対して出力されている動画データに記録開始のコマンドデータを多重して各出力部１１５−１１８に出力する。
【００６８】
次に、制御部１１２は、編集用動画データを記録する設定となっているか否かを判別する（Ｓ９０４）。ユーザにより、編集用動画データを記録しないように設定されていた場合、制御部１１２は編集用動画データを生成しないようにする。そして、制御部１１２は、操作部１１３より記録停止の指示があったか否かを判別する（Ｓ９０５）。記録停止の指示が無い場合、そのまま動画データを出力する。また、記録停止の指示があった場合、制御部１１２は、出力部１１５−１１８から出力されている動画データのうち、記録中の記録装置に出力されている動画データに記録停止を指示するコマンドデータを多重するよう出力制御部１１４に指示する（Ｓ９０６）。出力制御部１１４は、出力されている動画データに記録停止のコマンドデータを多重して出力部１１５−１１８に出力する。
【００６９】
また、編集用動画データを記録する設定となっていた場合、制御部１１２は記録媒体１０８、１０９に動画データを記録可能であるか否かを判別する（Ｓ９０７）。何れの記録媒体も装着されていない場合、或いは何れの記録媒体の記録残量も無い場合、制御部１１２は編集用動画データが記録できないと判断する。そして、制御部１１２は、編集用動画データを記録せず、操作部１１３より記録停止の指示があったか否かを判別する（Ｓ９０５）。記録停止の指示が無い場合、そのまま動画データを出力する。また、記録停止の指示があった場合、制御部１１２は、出力部１１５−１１８から出力されている動画データのうち、記録中の記録装置に出力されている動画データに記録停止を指示するコマンドデータを多重するよう出力制御部１１４に指示する（Ｓ９０６）。出力制御部１１４は、出力されている動画データに記録停止のコマンドデータを多重して出力部１１５−１１８に出力する。この場合、制御部１１２が編集用動画データを記録する設定となっているが、編集用動画データを記録できないことを表示部１１１に表示するようにしてもよい。
【００７０】
また、少なくとも一方の記録媒体に編集用動画データを記録可能であった場合、制御部１１２は動画処理部１０４を制御して編集用動画データを生成する。そして、制御部１１２は、記録媒体制御部１０５に対し、編集用動画データを記録するように指示する（Ｓ９０８）。二つの記録媒体１０８、１０９に対してともに動画データを記録可能な場合、制御部１１２は記録残量が多い方の記録媒体を選択し、この選択した記録媒体に編集用動画データを記録するように記録媒体制御部１０５に指示する。記録媒体制御部１０５は、制御部１１２より指定された記録媒体に対し、編集用動画データを記録するために動画ファイルを生成し、この動画ファイルに編集用動画データを格納して記録するように書き込み読み出し部１０６、１０７に指示する。
【００７１】
このように編集用動画データの記録を開始した後、制御部１１２は記録停止の指示があったか否かを判別する（Ｓ９０９）。記録停止の指示があった場合、制御部１１２は、出力部１１５−１１８から出力されている動画データのうち、動画を記録中の記録装置に出力されている動画データに記録停止を指示するコマンドデータを多重するように出力制御部１１４に指示する（Ｓ９１０）。出力制御部１１４は、出力されている動画データに記録停止のコマンドデータを多重して出力部１１５−１１８に出力する。また、制御部１１２は動画処理部１０４による編集用動画データの生成を停止して、記録を停止する（Ｓ９１１）。
【００７２】
また、記録停止の指示がない場合、制御部１１２は、記録媒体制御部１０５からの記録残量の情報に基づいて、編集用動画データを記録している記録媒体の記録残量が所定の閾値よりも少なくなったか否かを判別する（Ｓ９１２）。記録媒体の記録残量が閾値よりも少なくなった場合、制御部１１２は出力制御部１１４に次の動作を指示する。即ち、出力部１１５−１１８から出力されている動画データのうち、動画を記録中ではない記録装置２００に出力されている動画データに記録開始を指示するコマンドデータを多重することが出力制御部１１４に指示される（Ｓ９１３）。この指示により、他方の記録装置２００による動画の記録が開始される。また、制御部１１２は、動画を記録中の記録装置２００に出力されている動画データに記録停止を指示するコマンドデータを多重するように出力制御部１１４に指示する（Ｓ９１４）。次に、制御部１１２は、現在記録中の編集用動画データの記録を停止するように記録媒体制御部１０５に指示する（Ｓ９１５）。記録媒体制御部１０５は、制御部１１２より指定された記録媒体に記録中の編集用動画データの記録を停止し、動画ファイルをクローズするように書き込み読み出し部１０６、１０７に指示する。そして、制御部１１２は、現在選択している記録媒体以外の他の記録媒体に編集用動画データが記録可能か否かを判別する（Ｓ９１６）。例えば、記録媒体１０８を選択して編集用動画データを記録していた場合、制御部１１２は記録媒体１０９に編集用動画データが記録可能か否かを判別する。
【００７３】
当該他の記録媒体に動画データが記録可能でない場合、制御部１１２はこれ以降編集用動画データの生成、記録を停止する（Ｓ９２２）。この場合、制御部１１２が、編集用動画データを記録する設定となっているが、編集用動画データを記録できないことを表示部１１１に表示するようにしてもよい。そして、制御部１１２は、操作部１１３より記録停止の指示があったか否かを判別する（Ｓ９０５）。記録停止の指示が無い場合、そのまま動画データを出力する。また、記録停止の指示があった場合、制御部１１２は、動画を記録している記録装置２００に出力されている動画データに対し、記録停止を指示するコマンドデータを多重するように出力制御部１１４に指示する（Ｓ９０６）。出力制御部１１４は、出力されている動画データに記録停止のコマンドデータを多重して出力部１１５−１１８に出力する。
【００７４】
また、他の記録媒体に編集用動画データを記録可能であった場合、制御部１１２は、記録媒体制御部１０５に対し、他の記録媒体に新たに動画ファイルを生成して編集用動画データを記録するように指示する（Ｓ９１７）。記録媒体制御部１０５は、制御部１１２より指定された記録媒体に、編集用動画データを記録するために動画ファイルを生成し、この動画ファイルに編集用動画データを格納して記録するように書き込み読み出し部１０６、１０７に指示する。
【００７５】
次に、制御部１１２は、記録停止の指示があったかを判別する（Ｓ９１８）。記録停止の指示がない場合、制御部１１２は上記他の記録媒体の残量が閾値よりも小さくなったかを判別する（Ｓ９１９）。残量が閾値以上であった場合、制御部１１２は記録中の編集用の動画ファイルのサイズが所定値に達したかを判別する（Ｓ９２０）。編集用動画ファイルのサイズが所定値以下の場合、そのまま動画データの出力と編集用動画ファイルの記録を継続する。また、Ｓ９１８で記録停止の指示があった場合、Ｓ９１９で残量が閾値よりも小さくなった場合、或いはＳ９２０でファイルのサイズが所定値に達した場合、制御部１１２は動画の記録を停止する。即ち、制御部１１２は、動画を記録中の記録装置に出力されている動画データに対し、記録停止を指示するコマンドデータを多重するように出力制御部１１４に指示する（Ｓ９１０）。出力制御部１１４は、出力されている動画データに記録停止のコマンドデータを多重して出力部１１５−１１８に出力する。また、制御部１１２は、動画処理部１０４による編集用動画データの生成を停止し、その記録を停止する（Ｓ９１１）。
【００７６】
また、Ｓ９１２において、記録媒体の記録残量が閾値以上であった場合、制御部１１２は、記録媒体制御部１０５から取得した記録済みの動画ファイルのサイズの情報に基づいて、動画ファイルのサイズが所定値を超えたか否かを判別する（Ｓ９２１）。記録中の編集用の動画ファイルのサイズが所定値以下である場合は、そのまま記録が継続される。また、記録中の動画ファイルのサイズが所定値を超えた場合、制御部１１２は、動画を記録中ではない方の記録装置２００に出力されている動画データに対し、記録開始を指示するコマンドデータを多重するように出力制御部１１４に指示する（Ｓ９１３）。そして、前記の処理を実行する。
【００７７】
このように、一方の外部記録装置に動画データを記録しているときに記録中の編集用動画データの動画ファイルをクローズした場合、当該一方の記録装置に対して記録停止を指示すると共に、他方の記録装置に対して記録開始を指示する。そのため、記録媒体に記録する編集用動画データと外部の記録装置に記録される動画データとを同様のファイル構造で対応づけて記録することができる。本実施形態によれば、各外部記録装置２００により記録される動画ファイルに格納された動画データの記録時間（フレーム数）と、記録媒体１０８、１０９に記録される動画ファイルに格納される編集用動画データの記録時間とが一致する。そのため、編集用動画データを用いて編集点を指定することで、簡単に対応する動画データの編集を行うことができる。
【００７８】
なお、本実施形態では、Ｓ９２１において、編集用動画ファイルのサイズが所定値を超えた場合、現在動画ファイルを記録中の外部記録装置に記録停止を指示し、他方の記録装置に記録開始を指示した。しかし、編集用動画ファイルのサイズが所定値を超えた場合、現在動画ファイルを記録中の外部記録装置にはファイル分割を指示し、そのまま記録を継続させるようにしてもよい。
【００７９】
次に、本発明の第３の実施形態を説明する。
図１０は、本発明の第３の実施形態に係わる記録装置１０００と外部記録装置１１００の構成を示すブロック図である。本実施形態では、ＤｉｓｐｌａｙＰｏｒｔに従って動画データを外部記録装置に出力する点が前述の実施形態とは異なっている。なお、ＤｉｓｐｌａｙＰｏｒｔは双方向の通信が可能なフォーマットである。本実施例に係わる記録装置１０００の他の構成は、第１、第２の実施形態における記録装置１００と同様の構成であり、機能も同様である。また、外部の記録装置１１００については、動画データの入力構成および動画の記録構成以外は、上記第１および第２の実施形態における記録装置２００と同様の構成であり、機能も同様である。図１０において、図１および図２の構成と同じものは同一の番号を付加し、その詳細な説明は割愛する。
【００８０】
記録装置１０００において、通信制御部１００１は、制御部１１２からの指示に応じて、指定された動画データを外部ＩＦ１００２、１００３に出力する。また、通信制御部１００１は、外部の記録装置１１００に対して記録開始、停止のコマンド等のコマンドデータを送信する。また、通信制御部１００１は、外部記録装置１１００から出力された各種の情報を受信し、制御部１１２に知らせる。外部ＩＦ１００２、１００３は、ＤｉｓｐｌａｙＰｏｒｔに対応したコネクタ等を備え、外部記録装置１１００に動画データを出力し、また外部機器との間で各種の情報を送受信する。
【００８１】
また、記録装置１１００において、通信制御部１１０１は、制御部２１１からの指示に応じて、外部ＩＦ１１０２から動画データを受け取り、メモリ２０６に出力する。また、通信制御部１１０１は、記録装置１０００から記録開始、停止のコマンド等のコマンドデータを受信する。また、通信制御部１１０１は、記録装置１０００から出力された各種の情報を受信し、制御部２１１に知らせる。通信ＩＦ１１０２は、ＤｉｓｐｌａｙＰｏｒｔに対応したコネクタ等を備え、記録装置１０００から動画データを受信し、また、外部機器との間で各種の情報を送受信する。
【００８２】
また、記録装置１１００は、二つの記録媒体１１０６、１１０７のうち、一方を選択して動画データを記録する。記録媒体制御部１１０３は、書き込み読み出し部１１０４、１１０５を制御して、記録媒体１１０６、１１０７に動画データや各種の情報を記録し、再生する。また、記録装置１１００は、リレー記録の機能を持つ。
【００８３】
本実施形態においても、図３、図９のフローチャートに示す処理を行う。また、本実施形態では、更に、記録装置１０００が外部の記録装置１１００からファイル分割要求或いは記録停止要求を受信する。
【００８４】
図１１は、本実施形態に係わる記録装置１０００の外部出力モードに関連した動作のフローチャートを示す図である。図１１の動作は、制御部１１２が記録装置１０００の各部を制御することにより実行される。
【００８５】
本実施形態では、図６（ｄ）に示すように、記録装置１０００と外部記録装置１１００とをＤｉｓｐｌａｙＰｏｒｔに応じたケーブルで接続して記録装置１１００により動画データを記録するシステム構成とする。また、本実施形態では、制御部１１２により記録開始からの経過時間に係るタイムコード（時、分、秒、フレームを示す）を生成し、このタイムコードを動画データの各フレームに多重して出力する。
【００８６】
図６（ｄ）に示すように、記録装置１０００と外部記録装置１１００とを接続し、ユーザにより外部出力モードに設定された場合、制御部１１２は、通信制御部１００１に対し、動画データを出力するように指示する。通信制御部１００１は外部ＩＦ１００２、１００３を制御して、外部ＩＦ１００２、１００３より動画データを出力する（Ｓ１１０１）。
【００８７】
この状態で、制御部１１２は、操作部１１３より記録開始の指示があったか否かを判別する（Ｓ１１０２）。記録開始の指示があった場合、制御部１１２は記録を開始するフレームを決定する。そして、制御部１１２は、記録開始を指示するコマンドデータと記録を開始するフレームに対応したタイムコード（記録開始位置）の情報を出力するように出力制御部１１４に指示する（Ｓ１１０３）。出力制御部１１４は、記録開始の指示コマンドのデータとコマンドの実行の対象となるフレーム（記録開始位置）の情報を外部ＩＦ１００２または１００３から外部記録装置１１００に出力する。本実施形態では、制御部１１２は、記録開始の指示を受けた時点で出力している動画データのフレームに付加されたタイムコードの値に基づいて、所定フレーム数だけあとのフレームを記録開始位置として決定する。そして、この記録開始位置としてのタイムコードの情報を記録装置１０００から外部の記録装置１１００に出力する。外部の記録装置１１００では、後述の様に、記録開始のコマンドに応じて、記録開始位置の情報が示すタイムコードに対応したフレームから動画データの記録を開始する。
【００８８】
次に、制御部１１２は、編集用動画データを記録する設定となっているか否かを判別する（Ｓ１１０４）。ユーザは、操作部１１３を操作することにより、外部出力モードにおいて、外部の記録装置への動画出力と並列に編集用動画データを生成して記録するか否かを設定することができる。ユーザにより、編集用動画データを記録しないように設定されている場合、制御部１１２は編集用動画データを記録しないようにする。そして、制御部１１２は、通信制御部１００１により、外部の記録装置１１００から記録停止要求を受けたか否か判別する（Ｓ１１０５）。
【００８９】
本実施形態では、後述のように、外部記録装置１１００において、記録媒体の残量が閾値よりも少なくなり、更にリレー記録もできない場合、外部の記録装置１１００が記録停止要求を送信する。制御部１１２は、この記録停止要求を受けた場合、その時点で出力されている動画データに付加されているタイムコードの値に基づいて、決められたフレーム数だけあとのフレームを記録停止位置として決定する。そして、制御部１１２は、記録停止を示すコマンドデータと、記録停止位置（タイムコード）の情報とを外部の記録装置１１００に送信するように通信制御部１００１に指示する。通信制御部１００１は、外部ＩＦ１１０２または１１０３より、記録停止を示すコマンドデータと、記録停止位置の情報とを外部記録装置１１００に送信する（Ｓ１１０９）。外部の記録装置１１００では、後述のように、記録停止のコマンドと記録停止位置の情報を受けた場合、記録停止位置の情報により指定されたフレームまでを記録した後、動画データの記録を停止する。
【００９０】
また、記録停止要求を受信しない場合、制御部１１２は、通信制御部１００１により、外部記録装置１１００からファイル分割要求を受けたか否かを判別する（Ｓ１１０６）。本実施形態では、後述のように、外部の記録装置１１００がリレー記録を行う場合、記録媒体の切り替えに応じてファイル分割要求を送信する。制御部１１２は、このファイル分割要求を受けた場合、その時点で出力されている動画データに付加されているタイムコードの値に基づいて決められたフレーム数だけあとのフレームをファイル分割位置として決定する。そして、制御部１１２は、ファイル分割を示すコマンドデータと、分割位置（タイムコード）の情報とを外部の記録装置１１００に送信するように通信制御部１００１に指示する。通信制御部１００１は、外部ＩＦ１００２または１００３より、ファイル分割を示すコマンドデータと、ファイル分割位置の情報とを外部の記録装置１１００に送信する（Ｓ１１０７）。
【００９１】
ファイル分割要求を受けていない場合、制御部１１２は、操作部１１３より記録停止の指示があったか否かを判別する（Ｓ１１０８）。記録停止の指示が無い場合、そのまま動画データを出力する。また、記録停止の指示があった場合、制御部１１２は、その時点で出力されている動画データに付加されているタイムコードの値に基づいて、決められたフレーム数だけあとのフレームを記録停止位置として決定する。そして、制御部１１２は、記録停止を示すコマンドデータと、記録停止位置（タイムコード）の情報とを外部の記録装置１１００に送信するように通信制御部１００１に指示する。通信制御部１００１は、外部ＩＦ１００２または１００３より、記録停止を示すコマンドデータと、記録停止位置の情報とを外部の記録装置１１００に送信する（Ｓ１１０９）。
【００９２】
また、編集用の動画データを記録する設定となっていた場合、制御部１１２は、記録媒体１０８、１０９に動画データを記録可能であるか否かを判別する（Ｓ１１１０）。何れの記録媒体も装着されていない場合、或いは何れの記録媒体の記録残量も無い場合、制御部１１２は編集用動画データを記録できないと判断し、編集用動画データを記録しないようにする。そして、Ｓ１１０５に進み、前述の処理を実行する。
【００９３】
また、少なくとも一方の記録媒体に編集用動画データを記録可能である場合、制御部１１２は動画処理部１０４を制御して、編集用動画データを生成する。そして、制御部１１２は、記録媒体制御部１０５に対し、編集用の動画データを記録するように指示する（Ｓ１１１１）。二つの記録媒体１０８、１０９に対してともに動画データを記録可能な場合、制御部１１２は記録残量が多い方の記録媒体を選択し、この選択した記録媒体に編集用動画データを記録するように記録媒体制御部１０５に指示する。記録媒体制御部１０５は、制御部１１２より指定された記録媒体に対し、編集用動画データを記録するために動画ファイルを生成し、この動画ファイルに編集用動画データを格納して記録するように書き込み読み出し部１０６、１０７に指示する。
【００９４】
編集用動画データの記録を開始した後、制御部１１２は記録停止の指示があったか否かを判別する（Ｓ１１１２）。記録停止の指示があった場合、制御部１１２は、記録停止を示すコマンドデータと記録停止位置（タイムコード）の情報とを外部記録装置１１００に送信するように通信制御部１００１に指示する。通信制御部１００１は、外部ＩＦ１００２または１００３より、記録停止を示すコマンドデータと記録停止位置の情報とを外部の記録装置１１００に送信する（Ｓ１１１３）。また、制御部１１２は動画処理部１０４による編集用動画データの生成を停止し、その記録を停止する（Ｓ１１１４）。
【００９５】
また、記録停止の指示がない場合、制御部１１２は、通信制御部１００１により、外部の記録装置１１００から記録停止要求を受けたか否かを判別する（Ｓ１１１５）。制御部１１２は、記録停止要求を受けた場合、記録停止を示すコマンドデータと記録停止位置の情報とを外部の記録装置１１００に送信するように通信制御部１００１に指示する。通信制御部１００１は、外部ＩＦ１００２または１００３より、記録停止を示すコマンドデータと記録停止位置の情報とを外部の記録装置１１００に送信する（Ｓ１１１３）。また、制御部１１２は、動画処理部１０４による編集用動画データの生成を停止し、その記録を停止する（Ｓ１１１４）。
【００９６】
停止要求を受信しない場合、制御部１１２は、記録媒体制御部１０５からの記録残量の情報に基づいて、編集用動画データを記録している記録媒体の記録残量が所定の閾値よりも少なくなったか否か判別する（Ｓ１１１６）。本実施形態では、記録残量が閾値よりも少なくなった場合に、記録媒体の残量が無くなったものと判断する。記録媒体の記録残量が閾値よりも少なくなった場合、制御部１１２は、その時点で出力されている動画データに付加されているタイムコードの値に基づいて、決められたフレーム数だけあとのフレームをファイル分割位置として決定する。そして、制御部１１２は、ファイル分割を示すコマンドデータと分割位置の情報とを外部記録装置１１００に送信するように通信制御部１００１に指示する。通信制御部１１０１は、外部ＩＦ１００２または１００３より、ファイル分割を示すコマンドデータとファイル分割位置の情報とを外部の記録装置１１００に送信する（Ｓ１１１７）。外部記録装置１１００では、ファイル分割のコマンドデータを受けると、指定されたファイル分割位置のフレームまでを一つの動画ファイルに格納し、次のフレームから新たな動画ファイルを生成して記録する。
【００９７】
制御部１１２は、現在記録中の動画ファイルをクローズする（Ｓ１１１８）。このとき、制御部１１２は、Ｓ１１１７にて指示した分割位置と同じ位置のフレームまでを一つの動画ファイルに格納した後、ファイルをクローズする。そして、制御部１１２は、現在選択している記録媒体以外の他の記録媒体に編集用動画データが記録可能か否かを判別する（Ｓ１１１９）。
【００９８】
他の記録媒体に動画データを記録可能でない場合、制御部１１２は、これ以降編集用の動画データの生成、記録を停止する（Ｓ１１３０）。そして、Ｓ１１０５に進み、前述の処理を実行する。この場合、制御部１１２が、編集用動画データを記録する設定となっているが、編集用動画データを記録できないことを表示部１１１に表示するようにしてもよい。
【００９９】
また、他の記録媒体に編集用動画データを記録可能であった場合、制御部１１２は、記録媒体制御部１０５に対し、他の記録媒体に新たに動画ファイルを生成して動画データを記録するように指示する（Ｓ１１２０）。記録媒体制御部１０５は、制御部１１２より指定された記録媒体に対し、編集用動画データを記録するために動画ファイルを生成し、この動画ファイルに編集用動画データを格納して記録するように書き込み読み出し部１０６、１０７に指示する。
【０１００】
次に、制御部１１２は、記録停止の指示があったか否かを判別する（Ｓ１１２１）。記録停止の指示がない場合、制御部１１２は、通信制御部１００１により、外部の記録装置１１００から記録停止要求を受けたか否かを判別する（Ｓ１１２２）。停止要求を受信しない場合、制御部１１２は、動画データを記録している記録媒体の記録残量が所定の閾値よりも少なくなったか否かを判別する（Ｓ１１２３）。
【０１０１】
記録媒体の記録残量が閾値以上であった場合、制御部１１２は、記録媒体制御部１０５から取得した記録済みの動画ファイルのサイズの情報に基づいて、動画ファイルのサイズが所定値を超えたか否かを判別する（Ｓ１１２４）。本実施形態では、前述のように、記録媒体１０８、１０９に記録した動画データを所定のファイルシステムに従って管理している。そのため、記録中の編集用動画ファイルのサイズが、ファイルシステムにより規定されたファイルサイズの上限に達した場合、記録中の動画ファイルを一旦クローズし、新たに動画ファイルを生成して記録を続ける。そのため、本実施形態では、所定値として、ファイルシステムにより規定されたファイルサイズの上限よりも所定量少ない値を所定値として設定する。記録中の動画ファイルのサイズが所定値を超えていた場合、ファイル分割処理を実行する（Ｓ１１２６）。
【０１０２】
図１２はファイル分割動作のフローチャートを示す図である。ファイル分割要求を受けた場合、制御部１１２は、その時点で出力されている動画データに付加されているタイムコードの値に基づいて、決められたフレーム数だけあとのフレームをファイル分割位置として決定する。そして、制御部１１２は、ファイル分割を示すコマンドデータと分割位置（タイムコード）の情報とを外部の記録装置１１００に送信するように通信制御部１００１に指示する。通信制御部１００１は、外部ＩＦ１００２または１００３より、ファイル分割を示すコマンドデータとファイル分割位置の情報とを外部の記録装置１１００に送信する（Ｓ１２０１）。次に、制御部１１２は、記録媒体制御部１０５に対し、記録中の編集用動画ファイルをクローズするように指示する（Ｓ１２０２）。記録媒体制御部１０５は、書き込み読み出し部１０６、１０７に対し、現在記録中の動画ファイルをクローズするように指示する。このとき、制御部１１２は、Ｓ１２０１にて指示した分割位置と同じ位置のフレームまでを一つの動画ファイルに格納した後、ファイルをクローズする。次に、制御部１１２は、記録媒体制御部１０５に対し、新たに動画ファイルを生成し、編集用動画データを記録するように指示する（Ｓ１２０３）。記録媒体制御部１０５は、書き込み読み出し部１０６、１０７に対し、新たに動画ファイルを生成し、この動画ファイルに編集用動画データを格納して記録するように指示する。
【０１０３】
また、Ｓ１１２４で、記録中の動画ファイルのサイズが所定値以下であった場合、制御部１１２は、通信制御部１００１が外部記録装置１１００からファイル分割要求を受けたか否かを判別する（Ｓ１１２５）。ファイル分割要求を受けた場合、制御部１１２は図１２のファイル分割処理を実行する。また、ファイル分割要求を受けいない場合には、そのまま記録が継続される。
【０１０４】
Ｓ１１２１で記録停止の指示を受けた場合、Ｓ１１２２で停止要求を受けた場合、またはＳ１１２３で記録残量が閾値よりも少ない場合、制御部１１２は、外部記録装置１１００に動画データの記録の停止を指示する。即ち、制御部１１２は、記録停止を示すコマンドデータと記録停止位置の情報とを外部記録装置１１００に送信するように通信制御部１００１に指示する。通信制御部１００１は、外部ＩＦ１００２または１００３より、記録停止を示すコマンドデータと記録停止位置の情報とを外部記録装置１１００に送信する（Ｓ１１１３）。また、制御部１１２は、動画処理部１０４による編集用動画データの生成を停止し、その記録を停止する（Ｓ１１１４）。
【０１０５】
また、Ｓ１１１６で、記録残量が閾値以上であった場合、制御部１１２は記録中の編集用動画ファイルのサイズが所定値を超えているかを判別する（Ｓ１１２７）。編集用動画ファイルのサイズが所定値を超えていた場合、制御部１１２は、図１２のファイル分割処理を実行する（Ｓ１１２９）。また、記録中の動画ファイルのサイズが所定値以下であった場合、制御部１１２は、通信制御部１００１が外部記録装置１１００からファイル分割要求を受けたか否かを判別する（Ｓ１１２８）。ファイル分割要求を受けた場合、制御部１１２は図１２のファイル分割処理を実行する。また、ファイル分割要求を受けない場合には、そのまま記録が継続される。
【０１０６】
次に、外部記録装置１１００の処理について説明する。図１０の外部記録装置１１００において、通信制御部１１０１は、外部ＩＦ１１０２より動画データが入力されている状態で記録開始のコマンドと記録開始位置の情報を受けた場合、それらを制御部２１１に出力する。制御部２１１は、記録媒体１１０６または１１０７の一方を選択する。そして、制御部２１１は、記録媒体制御部１１０３に対し、選択した記録媒体に動画ファイルを生成し、指定された記録開始位置のフレームより記録を開始するように指示する。記録媒体制御部１１０３は、書き込み読み出し部１１０４または１１０５に対し、動画ファイルを生成して記録を開始するように指示する。
【０１０７】
記録を開始した後、制御部２１１は、記録中の記録媒体の残量を確認し、残量が閾値よりも少なくなった場合、リレー記録が可能であるか否かを判別する。他方の記録媒体の記録残量が残っており、リレー記録が可能であった場合、制御部２１１は、通信制御部１１０１に対し、ファイル分割要求を出力するように指示する。通信制御部１１０１は、外部ＩＦ１１０２より、記録装置１０００にファイル分割要求を出力する。このファイル分割要求に応答して、前述のように、記録装置１０００よりファイル分割のコマンドとファイル分割位置の情報が送信されると、通信制御部１１０１はこのファイル分割のコマンドと分割位置の情報を制御部２１１に送る。制御部２１１は、記録媒体制御部１１０３に対し、指定されたファイル分割位置にて動画ファイルをクローズするように指示する。記録媒体制御部１１０３は、現在記録中の動画ファイルに指定された位置までの動画データを格納した後ファイルをクローズする。そして、記録媒体制御部１１０３は、他の記録媒体に新たに動画ファイルを生成して記録を継続する。
【０１０８】
また、リレー記録が可能でなかった場合、制御部２１１は、通信制御部１１０１に対し、記録停止要求を出力するように指示する。通信制御部１１０１は、外部ＩＦ１１０２より、記録装置１０００に記録停止要求を出力する。この記録停止要求に応答して、前述のように、記録装置１０００より記録停止のコマンドと停止位置の情報が送信されると、通信制御部１１０１は、記録停止のコマンドと停止位置の情報を制御部２１１に送る。制御部２１１は、記録媒体制御部１１０３に対し、指定された停止位置にて動画ファイルをクローズするように指示する。記録媒体制御部１１０３は、現在記録中の動画ファイルに指定された位置までの動画データを格納した後ファイルをクローズする。
【０１０９】
また、記録を開始した後、記録装置１０００からファイル分割のコマンドとファイル分割位置の情報が送信されると、通信制御部１１０１は、このファイル分割のコマンドと分割位置の情報を制御部２１１に送る。制御部２１１は、記録媒体制御部１１０３に対し、指定されたファイル分割位置にて動画ファイルをクローズするように指示する。記録媒体制御部１１０３は、現在記録中の動画ファイルに指定された位置までの動画データを格納した後ファイルをクローズする。そして、記録媒体制御部１１０３は、新たに動画ファイルを生成して記録を継続する。
【０１１０】
また、記録を開始した後、記録装置１０００から記録停止のコマンドと停止位置の情報が送信されると、通信制御部１１０１は、記録停止のコマンドと停止位置の情報を制御部２１１に送る。制御部２１１は、記録媒体制御部１１０３に対し、指定された停止位置にて動画ファイルをクローズするように指示する。記録媒体制御部１１０３は、現在記録中の動画ファイルに指定された位置までの動画データを格納した後ファイルをクローズする。
【０１１１】
このように、本実施形態においては、外部出力モードにおいて動画データを外部の記録装置などに出力する場合、動画データの出力と並列に編集用動画データを生成し、記録媒体に記録する。そのため、後で編集用の動画データを生成する必要がなくなる。また、本実施形態では、編集用動画データの動画ファイルをクローズした場合に、外部記録装置に対して動画ファイルの分割を指示する。更に、本実施形態においては、外部記録装置がリレー記録時にファイル分割要求を送信した場合、編集用動画ファイルを分割する。そのため、記録媒体に記録した編集用動画データと外部記録装置において記録されている動画データとを同様のファイル構造で対応づけて記録することができる。
【０１１２】
次に、本発明の第４の実施形態を説明する。本実施形態においても、記録装置１０００と外部記録装置１１００の構成は第３の実施形態と同様である。
【０１１３】
図１３は、本実施例に係わる外部出力モードに関連した記録装置１０００の動作のフローチャートを示す図である。図１３の処理は、制御部１１２が記録装置１０００の各部を制御することにより実行される。
【０１１４】
本実施形態では、図６（ｅ）に示すように、記録装置１０００と２台の外部記録装置１１００とをそれぞれＤｉｓｐｌａｙＰｏｒｔに応じたケーブルで接続して動画データを記録するシステム構成を有する。
【０１１５】
図６（ｅ）のように記録装置１０００と２台の外部記録装置１１００とが接続された状態でユーザにより外部出力モードに設定された場合、制御部１１２は動画データを外部ＩＦ１００２、１００３より出力する（Ｓ１３０１）。この状態で、制御部１１２は、操作部１１３より記録開始の指示があったか否かを判別する（Ｓ１３０２）。本実施形態では、二つの記録装置１１００のうち、ユーザが一方の記録装置を選択し、この選択した方の外部記録装置に対して動画データの記録を指示する。記録開始の指示があった場合、制御部１１２は、記録を開始するフレームを決定する。そして、制御部１１２は、記録開始を指示するコマンドデータと記録を開始するフレームに対応したタイムコード（記録開始位置）の情報を、選択された記録装置１１００に出力するように通信制御部１００１に指示する（Ｓ１３０３）。通信制御部１００１は、記録開始のコマンドデータと記録開始位置の情報を外部ＩＦ１００２または１００３から外部の記録装置１１００に出力する。本実施形態では、制御部１１２は、記録開始の指示を受けた時点で出力している動画データのフレームに付加されたタイムコードの値に基づいて、所定フレーム数だけあとのフレームを記録開始位置として決定する。そして、この記録開始位置としてのタイムコードの情報を記録装置１０００から外部の記録装置１１００に出力する。
【０１１６】
次に、制御部１１２は、編集用動画データを記録する設定となっているか否かを判別する（Ｓ１３０４）。ユーザにより編集用動画データを記録しないように設定されていた場合、制御部１１２は編集用動画データを記録せず、通信制御部１００１により外部記録装置１１００から前述の記録停止要求を受けたか否かを判別する（Ｓ１３０５）。
【０１１７】
記録停止要求を受けた場合、制御部１１２は、その時点で出力されている動画データに付加されているタイムコードの値に基づいて、決められたフレーム数だけあとのフレームを記録停止位置として決定する。そして、制御部１１２は、記録停止を示すコマンドデータと記録停止位置（タイムコード）の情報とを外部の記録装置１１００に送信するように通信制御部１００１に指示する。通信制御部１００１は、外部ＩＦ１００２または１１０３より、記録停止を示すコマンドデータと記録停止位置の情報とを外部の記録装置１１００に送信する（Ｓ１３０９）。
【０１１８】
また、記録停止要求を受信しない場合、制御部１１２は、通信制御部１００１により、外部記録装置１１００からファイル分割要求を受けたか否かを判別する（Ｓ１３０６）。ファイル分割要求を受けた場合、制御部１１２は、その時点で出力されている動画データに付加されているタイムコードの値に基づいて、決められたフレーム数だけあとのフレームをファイル分割位置として決定する。そして、制御部１１２は、ファイル分割を示すコマンドデータと分割位置（タイムコード）の情報とを外部記録装置１１００に送信するように通信制御部１００１に指示する。通信制御部１１０１は、外部ＩＦ１００２または１００３より、ファイル分割を示すコマンドデータとファイル分割位置の情報とを外部の記録装置１１００に送信する（Ｓ１３０７）。
【０１１９】
ファイル分割要求を受けない場合、制御部１１２は、操作部１１３より記録停止の指示があったか否かを判別する（Ｓ１３０８）。記録停止の指示が無い場合、そのまま動画データを出力する。また、記録停止の指示があった場合、制御部１１２は、その時点で出力されている動画データに付加されているタイムコードの値に基づいて、決められたフレーム数だけあとのフレームを記録停止位置として決定する。そして、制御部１１２は、記録停止を示すコマンドデータと記録停止位置（タイムコード）の情報とを外部の記録装置１１００に送信するように通信制御部１００１に指示する。通信制御部１１０１は、外部ＩＦ１００２または１００３より、記録停止を示すコマンドデータと記録停止位置の情報とを外部記録装置１１００に送信する（Ｓ１３０９）。
【０１２０】
また、編集用動画データを記録する設定となっていた場合、制御部１１２は記録媒体１０８、１０９に動画データを記録可能であるか否かを判別する（Ｓ１３１０）。何れの記録媒体も装着されていない場合、或いは、何れの記録媒体の記録残量も無い場合、制御部１１２は、編集用動画データを記録できないと判断し、編集用動画データを記録しないようにする。そして、Ｓ１３０５に進み、前述の処理を実行する。
【０１２１】
また、少なくとも一方の記録媒体に編集用動画データを記録可能であった場合、制御部１１２は動画処理部１０４を制御して、編集用動画データを生成する。そして、制御部１１２は、記録媒体制御部１０５に対し、編集用動画データを記録するように指示する（Ｓ１３１１）。記録媒体制御部１０５は、制御部１１２より指定された記録媒体に対し、編集用動画データを記録するために動画ファイルを生成し、この動画ファイルに編集用動画データを格納して記録するように書き込み読み出し部１０６、１０７に指示する。
【０１２２】
このように編集用動画データの記録を開始した後、制御部１１２は、記録停止の指示があったか否か判別する（Ｓ１３１２）。記録停止の指示があった場合、制御部１１２は、記録停止を示すコマンドデータと記録停止位置（タイムコード）の情報とを外部記録装置１１００に送信するように通信制御部１００１に指示する。通信制御部１００１は、外部ＩＦ１００２または１００３より、記録停止を示すコマンドデータと記録停止位置（タイムコード）の情報とを外部記録装置１１００に送信する（Ｓ１３１３）。また、制御部１１２は、動画処理部１０４による編集用動画データの生成を停止し、その記録を停止する（Ｓ１３１４）。
【０１２３】
また、記録停止の指示がない場合、制御部１１２は、通信制御部１００１により、外部記録装置１１００から記録停止要求を受けたか否かを判別する（Ｓ１３１５）。制御部１１２は、記録停止要求を受けた場合、記録停止を示すコマンドデータと記録停止位置の情報とを外部記録装置１１００に送信するように通信制御部１００１に指示する。通信制御部１００１は、外部ＩＦ１００２または１００３より、記録停止を示すコマンドデータと記録停止位置の情報とを外部の記録装置１１００に送信する（Ｓ１３１３）。また、制御部１１２は、動画処理部１０４による編集用動画データの生成を停止し、その記録を停止する（Ｓ１３１４）。
【０１２４】
停止要求を受信しない場合、制御部１１２は、記録媒体制御部１０５からの記録残量の情報に基づいて、編集用動画データを記録している記録媒体の記録残量が所定の閾値よりも少なくなったか否かを判別する（Ｓ１３１６）。本実施形態では、記録残量が閾値よりも少なくなった場合に、記録媒体の残量が無くなったものと判断する。記録媒体の記録残量が閾値よりも少なくなった場合、制御部１１２は、その時点で出力されている動画データに付加されているタイムコードの値に基づいて、決められたフレーム数だけあとのフレームを記録停止位置として決定する。そして、その次のフレームを記録開始位置として決定する。そして、制御部１１２は、記録開始のコマンドと記録開始位置の情報とを、現在動画を記録していない、他方の記録装置１１００に出力するように通信制御部１００１に指示する（Ｓ１３１７）。また、制御部１１２は、記録停止のコマンドと記録停止位置の情報とを、現在動画データを記録中の記録装置１１００に出力するように通信制御部１００１に指示する（Ｓ１３１８）。通信制御部１００１は、外部ＩＦ１００２、１００３により、動画データを記録中の記録装置１１００に記録停止のコマンドと記録停止位置の情報を出力し、他方の記録装置１１００に記録開始のコマンドと記録開始位置の情報を出力する。
【０１２５】
次に、制御部１１２は、現在記録中の動画ファイルをクローズする（Ｓ１３１９）。このとき、制御部１１２は、Ｓ１３１８にて指示した記録停止位置と同じ位置のフレームまでを一つの動画ファイルに格納した後、ファイルをクローズする。そして、制御部１１２は、現在選択している記録媒体以外の他の記録媒体に動画データを記録可能か否か判別する（Ｓ１３２０）。他の記録媒体に動画データを記録可能でない場合、制御部１１２は、これ以降編集用動画データの生成、記録を停止する。そして、Ｓ１３０５に進み、前述の処理を実行する。この場合、制御部１１２が、編集用動画データを記録する設定となっているが、編集用動画データを記録できないことを表示部１１１に表示するようにしてもよい。
【０１２６】
また、他の記録媒体に動画データを記録可能であった場合、制御部１１２は、記録媒体制御部１０５に対し、他の記録媒体に新たに動画ファイルを生成して編集用動画データを記録するように指示する（Ｓ１３２１）。記録媒体制御部１０５は、制御部１１２より指定された記録媒体に対し、編集用動画データを記録するために動画ファイルを生成し、この動画ファイルに動画データを格納して記録するように書き込み読み出し部１０６、１０７に指示する。
【０１２７】
次に、制御部１１２は、記録停止の指示があったか否か判別する（Ｓ１３２２）。記録停止の指示がない場合、制御部１１２は、通信制御部１００１により、外部の記録装置１１００から記録停止要求を受けたか否か判別する（Ｓ１３２３）。停止要求を受信しない場合、制御部１１２は、動画データを記録している記録媒体の記録残量が所定の閾値よりも少なくなったか否かを判別する（Ｓ１３２４）。記録媒体の記録残量が閾値以上であった場合、制御部１１２は、記録媒体制御部１０５から取得した記録済みの動画ファイルのサイズの情報に基づいて、動画ファイルのサイズが所定値を超えたか判別する（Ｓ１３２５）。記録中の動画ファイルのサイズが所定値を超えていた場合、図１２のファイル分割処理を実行する（Ｓ１３２７）。
【０１２８】
また、記録中の動画ファイルのサイズが所定値以下であった場合、制御部１１２は、通信制御部１１０１により、外部記録装置１１００からファイル分割要求を受けたか否かを判別する（Ｓ１３２６）。ファイル分割要求を受けた場合、制御部１１２は、図１２のファイル分割処理を実行する。また、ファイル分割要求を受けない場合には、そのまま記録を継続する。
【０１２９】
Ｓ１３２２で記録停止の指示を受けた場合、Ｓ１３２３で停止要求を受けた場合またはＳ１３２４で記録残量が閾値よりも少ない場合、制御部１１２は、外部記録装置による動画データの記録を停止する。即ち、制御部１１２は、記録停止を示すコマンドデータと記録停止位置の情報とを外部記録装置１１００に送信するように通信制御部１００１に指示する。通信制御部１００１は、外部ＩＦ１００２または１００３より、記録停止を示すコマンドデータと記録停止位置の情報とを外部記録装置１１００に送信する（Ｓ１３１３）。また、制御部１１２は、動画処理部１０４による編集用動画データの生成を停止し、その記録を停止する（Ｓ１３１４）。
【０１３０】
また、Ｓ１３１６で、記録残量が閾値以上であった場合、制御部１１２は記録中の編集用動画ファイルのサイズが所定値を超えているかを判別する（Ｓ１３２８）。編集用動画ファイルのサイズが所定値を超えていた場合、制御部１１２は、図１２のファイル分割処理を実行する（Ｓ１３３０）。また、記録中の動画ファイルのサイズが所定値以下であった場合、制御部１１２は、通信制御部１００１により、外部記録装置１１００からファイル分割要求を受けたか否かを判別する（Ｓ１３２９）。ファイル分割要求を受けた場合、制御部１１２は、図１２のファイル分割処理を実行する。また、ファイル分割要求を受けない場合には、そのまま記録が継続される。
【０１３１】
外部の記録装置１１００は、第３の実施形態と同様に動作し、入力された動画データを記録媒体１１０６、１１０７に記録する。
【０１３２】
本実施形態によっても第３の実施形態と同様の技術的効果が得られる。即ち、外部出力モードにおいて動画データを外部の記録装置などに出力する場合、動画データの出力と並列に編集用動画データを生成し、記録媒体に記録する。そのため、後で編集用の動画データを生成する必要がなくなる。また、本実施形態では、編集用動画データの動画ファイルをクローズした場合に、動画データを記録する外部記録装置の切り替えを指示する。更に、本実施形態においては、外部記録装置がリレー記録時にファイル分割要求を送信した場合、編集用動画ファイルを分割する。そのため、記録媒体に記録した編集用動画データと外部記録装置において記録されている動画データとを同様のファイル構造で対応づけて記録することができる。
【０１３３】
また、本実施形態では、本発明を撮像装置に適用した例を説明したが、これに限るものではない。例えば、パーソナルコンピュータなどの入出力手段、表示手段および記録手段を備えた情報処理装置またはこれとサーバなどの外部記録装置を接続した記録システムに適用してもよい。
【０１３４】
前述した本発明の実施形態に係わる記録装置を構成する各手段並び制御方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【０１３５】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【０１３６】
なお、本発明は、前述した実施形態の機能を実現するソフトウェアのプログラムを、システムまたは装置に直接、または遠隔から供給する場合も含む。そして、そのシステムまたは装置のコンピュータが前記供給されたプログラムコードを読み出して実行することによっても達成される場合を含む。
【０１３７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【０１３８】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【０１３９】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【０１４０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１４１】
また、その他の方法として、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１４２】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【０１４３】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【０１４４】
上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図１】
2013162486.tif 000003
【図２】
2013162486.tif 000004
【図３】
2013162486.tif 000005
【図４】
2013162486.tif 000006
【図５】
2013162486.tif 000007
【図６】
2013162486.tif 000008
【図７】
2013162486.tif 000009
【図８】
2013162486.tif 000010
【図９】
2013162486.tif 000011
【図１０】
2013162486.tif 000012
【図１１】
2013162486.tif 000013
【図１２】
2013162486.tif 000014
【図１３】
2013162486.tif 000015